(57)【要約】【課題】  各種センサにより計測された計測値のデータ属性に応じた最適な処理を実行でき、使用者の感情推定や状況通信などの各種サービスを正確かつ適切に提供する。【解決手段】  状況通信装置は、自身の各種センサで使用者に関する生体情報や周辺環境に関する環境情報を計測する。そして、感圧センサで圧力が検出され（Ｓ２１：ＹＥＳ）、かつ光センサで光が検出されない場合は（Ｓ２３：ＮＯ）、温度センサによる温度データは「人体情報」として特定され（Ｓ２５）、当該温度データは「体温」として記憶される。一方、感圧センサで圧力が検出されず（Ｓ２１：ＮＯ）、又は光センサで光が検出された場合は（Ｓ２３：ＹＥＳ）、温度センサによる温度データは「環境情報」として特定され（Ｓ２５）、当該温度データは「気温」として記憶される。【選択図】  図６
2006295823.tif 000002
【特許請求の範囲】
【請求項１】
使用者に関する人体情報又は当該状況通信装置の周辺環境に関する環境情報を計測する計測手段と、
使用者の状況を表現する状況表現手段と、
前記計測手段により計測された計測情報又は前記計測情報に基づく情報を送信する送信手段と、
前記計測情報又は前記計測情報に基づく情報を受信する受信手段と、
前記受信手段により受信された前記計測情報又は前記計測情報に基づく情報に応じて前記状況表現手段を制御する状況表現制御手段と、
前記計測手段により計測された計測情報に基づいて、当該計測情報が前記人体情報又は前記環境情報のいずれであるかを判定する計測情報判定手段と
を備えたことを特徴とする状況通信装置。
【請求項２】
前記計測手段は、当該状況通信装置の筐体表面における外部からの接触を計測する接触センサと、外部から温度を計測する温度センサと、外部からの光の照射を計測する光センサとの少なくとも一つであって、
前記計測情報判定手段は、前記接触センサによる計測情報である接触データと、前記温度センサによる計測情報である温度データと、前記光センサによる計測情報である明るさデータとの少なくとも一つに基づいて、前記計測手段により計測された計測情報が前記人体情報又は前記環境情報のいずれであるかを判定することを特徴とする請求項１に記載の状況通信装置。
【請求項３】
前記接触センサは、外部からの接触によって発生した、当該状況通信装置の筐体表面における圧力を計測するものであることを特徴とする請求項２に記載の状況通信装置。
【請求項４】
前記計測情報判定手段は、前記計測情報が前記人体情報であると判定した場合、前記温度データを「体温」として特定する一方、前記計測情報が前記環境情報であると判定した場合、前記温度データを「気温」として特定することを特徴とする請求項２又は３に記載の状況通信装置。
【請求項５】
前記計測情報判定手段は、前記計測情報が前記人体情報であると判定した場合、前記明るさデータを「使用者の光遮断による暗さ」として特定する一方、前記計測情報が前記環境情報であると判定した場合、前記明るさデータを「周囲環境の暗さ」として特定することを特徴とする請求項２乃至４のいずれかに記載の状況通信装置。
【請求項６】
コンピュータに、
使用者に関する人体情報又は当該状況通信装置の周辺環境に関する環境情報を計測する計測ステップ、
使用者の状況を表現する状況表現ステップ、
前記計測ステップにより計測された計測情報又は前記計測情報に基づく情報を送信する送信ステップ、
前記計測情報又は前記計測情報に基づく情報を受信する受信ステップ、
前記受信ステップにより受信された前記計測情報又は前記計測情報に基づく情報に応じて前記状況表現ステップを制御する状況表現制御ステップ、
前記計測ステップにより計測された計測情報に基づいて、当該計測情報が前記人体情報又は前記環境情報のいずれであるかを判定する計測情報判定ステップ
を実行させるための状況通信プログラム。
【請求項７】
前記計測ステップは、当該状況通信装置の筐体表面における外部からの接触を計測する接触センサと、外部から温度を計測する温度センサと、外部からの光の照射を計測する光センサとの少なくとも一つによって、前記人体情報又は前記環境情報を計測し、
前記計測情報判定ステップは、前記接触センサによる計測情報である接触データと、前記温度センサによる計測情報である温度データと、前記光センサによる計測情報である明るさデータとの少なくとも一つに基づいて、前記計測ステップにより計測された計測情報が前記人体情報又は前記環境情報のいずれであるかを判定することを特徴とする請求項６に記載の状況通信プログラム。
【請求項８】
前記接触センサは、外部からの接触によって発生した、当該状況通信装置の筐体表面における圧力を計測するものであることを特徴とする請求項７に記載の状況通信プログラム。
【請求項９】
前記計測情報判定ステップは、前記計測情報が前記人体情報であると判定した場合、前記温度データを「体温」として特定する一方、前記計測情報が前記環境情報であると判定した場合、前記温度データを「気温」として特定することを特徴とする請求項７又は８に記載の状況通信プログラム。
【請求項１０】
前記計測情報判定ステップは、前記計測情報が前記人体情報であると判定した場合、前記明るさデータを「使用者の光遮断による暗さ」として特定する一方、前記計測情報が前記環境情報であると判定した場合、前記明るさデータを「周囲環境の暗さ」として特定することを特徴とする請求項７乃至９のいずれかに記載の状況通信プログラム。
【発明の詳細な説明】
【技術分野】
【０００１】
本発明は、状況通信装置及び状況通信プログラムに関するものであり、詳細には、使用者に関する人体情報や周辺環境に関する環境情報を計測する状況通信装置及び状況通信プログラムに関する。
【背景技術】
【０００２】
従来、他人とコミュニケーションをとる手段として、電話機などの通話装置で会話するという手段が一般的に行われている。このような通話装置において、通話相手とのコミュニケーションをより高めるために通話装置にキャラクタを表示する表示部を設け、利用者本人と通話相手のキャラクタを表示部に表示する通話装置が知られている（例えば、特許文献１参照）。この通話装置では、さらに利用者の体温や心拍、携帯機器を握る握力等の変化を検知して、より確実に感情推定を行うことが提案されている。
【０００３】
また、光センサや温度センサ、圧力センサなどからなる複数のセンサを備えた移動端末装置が知られている（特許文献２参照）。この移動端末装置は、複数のセンサに共用される基板をセンサ体に設け、当該基板をデバイスカバーの形状をなぞる形状に形成できるように可撓性をもつようにすることで、良好なセキュリティ特性と人間工学的適性、並びに連続的製造に対する良好な適合性を与えることを容易にするものである。
【特許文献１】特開２００３−２４８８４１号公報
【特許文献２】特開２００４−２２３２６３号公報
【発明の開示】
【発明が解決しようとする課題】
【０００４】
上記の従来技術は、一つの端末にセンサ群を設けて、各センサから計測される情報に基づいて、使用者の感情推定などを行うことを可能とする。しかし、各センサから計測される情報が、使用者に関する情報（以下、人体情報という）か、端末の周辺環境に関する情報（以下、環境情報という）かというデータ属性を区別することができなかった。例えば、従来では温度センサによる温度データが、使用者の体温を示すものなのか、端末周辺の気温を示すものなのかを区別できなかった。そして、計測情報のデータ属性を区別できないと、そのデータ属性に応じた最適な処理を実行することできないという問題があった。
【０００５】
例えば、使用者の感情を推定する場合には、使用者の体温や発汗などの人体情報のみに基づいて推定を行う必要がある。しかしながら、計測情報のデータ属性を区別できない場合には、端末周辺の気温や湿度などの環境情報に基づいて、使用者の感情推定を行ってしまい、使用者の感情を正確に推定できないという問題があった。同様に、端末を使用している人物の状況を推定する場合にも、計測情報のデータ属性を区別できなければ、両情報を取り違えて誤った推定が行われるという問題があった。
【０００６】
本発明は上記課題を解決するためになされたものであり、各種計測手段により計測された計測情報のデータ属性に応じて最適な処理を実行でき、使用者の感情推定や状況通信などの各種サービスを正確かつ適切に提供することができる状況通信装置及び状況通信プログラムの提供を目的とする。
【課題を解決するための手段】
【０００７】
上記目的を達成するために、請求項１に係る発明の状況通信装置は、使用者に関する人体情報又は当該状況通信装置の周辺環境に関する環境情報を計測する計測手段と、使用者の状況を表現する状況表現手段と、前記計測手段により計測された計測情報又は前記計測情報に基づく情報を送信する送信手段と、前記計測情報又は前記計測情報に基づく情報を受信する受信手段と、前記受信手段により受信された前記計測情報又は前記計測情報に基づく情報に応じて前記状況表現手段を制御する状況表現制御手段と、前記計測手段により計測された計測情報に基づいて、当該計測情報が前記人体情報又は前記環境情報のいずれであるかを判定する計測情報判定手段とを備えている。
【０００８】
また、請求項２に係る発明の状況通信装置は、請求項１に記載の発明の構成に加え、前記計測手段は、当該状況通信装置の筐体表面における外部からの接触を計測する接触センサと、外部から温度を計測する温度センサと、外部からの光の照射を計測する光センサとの少なくとも一つであって、前記計測情報判定手段は、前記接触センサによる計測情報である接触データと、前記温度センサによる計測情報である温度データと、前記光センサによる計測情報である明るさデータとの少なくとも一つに基づいて、前記計測手段により計測された計測情報が前記人体情報又は前記環境情報のいずれであるかを判定することを特徴とする。
【０００９】
また、請求項３に係る発明の状況通信装置は、請求項２に記載の発明の構成に加え、前記接触センサは、外部からの接触によって発生した、当該状況通信装置の筐体表面における圧力を計測するものであることを特徴とする。
【００１０】
また、請求項４に係る発明の状況通信装置は、請求項２又は３に記載の発明の構成に加え、前記計測情報判定手段は、前記計測情報が前記人体情報であると判定した場合、前記温度データを「体温」として特定する一方、前記計測情報が前記環境情報であると判定した場合、前記温度データを「気温」として特定することを特徴とする。
【００１１】
また、請求項５に係る発明の状況通信装置は、請求項２乃至４のいずれかに記載の発明の構成に加え、前記計測情報判定手段は、前記計測情報が前記人体情報であると判定した場合、前記明るさデータを「使用者の光遮断による暗さ」として特定する一方、前記計測情報が前記環境情報であると判定した場合、前記明るさデータを「周囲環境の暗さ」として特定することを特徴とする。
【００１２】
また、請求項６に係る発明の状況通信プログラムは、コンピュータに、使用者に関する人体情報又は当該状況通信装置の周辺環境に関する環境情報を計測する計測ステップ、使用者の状況を表現する状況表現ステップ、前記計測ステップにより計測された計測情報又は前記計測情報に基づく情報を送信する送信ステップ、前記計測情報又は前記計測情報に基づく情報を受信する受信ステップ、前記受信ステップにより受信された前記計測情報又は前記計測情報に基づく情報に応じて前記状況表現ステップを制御する状況表現制御ステップ、前記計測ステップにより計測された計測情報に基づいて、当該計測情報が前記人体情報又は前記環境情報のいずれであるかを判定する計測情報判定ステップを実行させることを特徴とする。
【００１３】
また、請求項７に係る発明の状況通信プログラムは、請求項６に記載の発明の構成に加え、前記計測ステップは、当該状況通信装置の筐体表面における外部からの接触を計測する接触センサと、外部から温度を計測する温度センサと、外部からの光の照射を計測する光センサとの少なくとも一つによって、前記人体情報又は前記環境情報を計測し、前記計測情報判定ステップは、前記接触センサによる計測情報である接触データと、前記温度センサによる計測情報である温度データと、前記光センサによる計測情報である明るさデータとの少なくとも一つに基づいて、前記計測ステップにより計測された計測情報が前記人体情報又は前記環境情報のいずれであるかを判定することを特徴とする。
【００１４】
また、請求項８に係る発明の状況通信プログラムは、請求項７に記載の発明の構成に加え、前記接触センサは、外部からの接触によって発生した、当該状況通信装置の筐体表面における圧力を計測するものであることを特徴とする。
【００１５】
また、請求項９に係る発明の状況通信プログラムは、請求項７又は８に記載の発明の構成に加え、前記計測情報判定ステップは、前記計測情報が前記人体情報であると判定した場合、前記温度データを「体温」として特定する一方、前記計測情報が前記環境情報であると判定した場合、前記温度データを「気温」として特定することを特徴とする。
【００１６】
また、請求項１０に係る発明の状況通信プログラムは、請求項７乃至９のいずれかに記載の発明の構成に加え、前記計測情報判定ステップは、前記計測情報が前記人体情報であると判定した場合、前記明るさデータを「使用者の光遮断による暗さ」として特定する一方、前記計測情報が前記環境情報であると判定した場合、前記明るさデータを「周囲環境の暗さ」として特定することを特徴とする。
【発明の効果】
【００１７】
請求項１に係る発明の状況通信装置では、計測手段によって人体情報又は環境情報を計測して、計測情報又はそれに基づく情報を送信する一方、計測情報又はそれに基づく情報を受信すると、それに応じて使用者の状況を表現するものであって、計測手段により計測された計測情報が人体情報又は環境情報のいずれであるかを判定する。よって、計測手段により計測された計測情報のデータ属性に応じて最適な処理を実行でき、使用者の感情推定や状況通信などの各種サービスを正確かつ適切に提供することができる。
【００１８】
また、請求項２に係る発明の状況通信装置では、請求項１に記載の発明の効果に加え、接触センサ，温度センサ，光センサを用いて、計測情報が人体情報又は環境情報のいずれであるかを判定する。よって、接触データ，温度データ，明るさデータに基づいて、計測情報のデータ属性をより正確に判定することができる。
【００１９】
また、請求項３に係る発明の状況通信装置では、請求項２に記載の発明の効果に加え、接触センサは状況通信装置の筐体表面における圧力を計測する。よって、圧力データに基づいて、計測情報のデータ属性を正確に判定することができる。
【００２０】
また、請求項４に係る発明の状況通信装置では、請求項２又は３に記載の発明の効果に加え、計測情報が人体情報である場合は温度データを「体温」として特定し、計測情報が環境情報である場合は温度データを「気温」として特定する。よって、「体温」と「気温」とを取り違えることなく、温度データのデータ属性に応じた最適な処理を実行することができる。
【００２１】
また、請求項５に係る発明の状況通信装置では、請求項２乃至４のいずれかに記載の発明の効果に加え、計測情報が人体情報である場合は明るさデータを「使用者の光遮断による暗さ」として特定し、計測情報が環境情報である場合は明るさデータを「周囲環境の暗さ」として特定する。よって、「使用者の光遮断による暗さ」と「周囲環境の暗さ」とを取り違えることなく、明るさデータのデータ属性に応じた最適な処理を実行することができる。
【００２２】
また、請求項６に係る発明の状況通信プログラムでは、計測手段によって人体情報又は環境情報を計測して、計測情報又はそれに基づく情報を送信する一方、計測情報又はそれに基づく情報を受信すると、それに応じて使用者の状況を表現するものであって、計測手段により計測された計測情報が人体情報又は環境情報のいずれであるかを判定する。よって、計測手段により計測された計測情報のデータ属性に応じて最適な処理を実行することができ、使用者の感情推定や状況通信などの各種サービスを正確かつ適切に提供することができる。
【００２３】
また、請求項７に係る発明の状況通信プログラムでは、請求項６に記載の発明の効果に加え、接触センサ，温度センサ，光センサを用いて、計測情報が人体情報又は環境情報のいずれであるかを判定する。よって、接触データ，温度データ，明るさデータに基づいて、計測情報のデータ属性をより正確に判定することができる。
【００２４】
また、請求項８に係る発明の状況通信プログラムでは、請求項７に記載の発明の効果に加え、接触センサは状況通信装置の筐体表面における圧力を計測する。よって、圧力データに基づいて、計測情報のデータ属性を正確に判定することができる。
【００２５】
また、請求項９に係る発明の状況通信プログラムでは、請求項７又は８に記載の発明の効果に加え、計測情報が人体情報である場合は温度データを「体温」として特定し、計測情報が環境情報である場合は温度データを「気温」として特定する。よって、「体温」と「気温」とを取り違えることなく、温度データのデータ属性に応じた最適な処理を実行することができる。
【００２６】
また、請求項１０に係る発明の状況通信プログラムでは、請求項７乃至９のいずれかに記載の発明の効果に加え、計測情報が人体情報である場合は明るさデータを「使用者の光遮断による暗さ」として特定し、計測情報が環境情報である場合は明るさデータを「周囲環境の暗さ」として特定する。よって、「使用者の光遮断による暗さ」と「周囲環境の暗さ」とを取り違えることなく、明るさデータのデータ属性に応じた最適な処理を実行することができる。
【発明を実施するための最良の形態】
【００２７】
以下、本発明の第１の実施の形態について説明する。まず、本発明の状況通信装置１を用いたサービス提供システムの全体構成について説明する。図１は、本発明の状況通信装置１を用いたサービス提供システムの構成を示すシステム構成図である。
【００２８】
図１に示すように、状況通信装置１を用いたサービス提供システムにおいて、サービス提供サーバ２はインターネット４に接続可能である。また、状況通信装置１は携帯電話網又はＰＨＳ電話網等の移動通信網の基地局３に接続可能であり、この基地局３を介してインターネット４に接続可能である。また、状況通信装置１は、他の状況通信装置１と近隣に存在する場合に相互通信が可能となっている。また、状況通信装置１は、パーソナルコンピュータ（以下、ＰＣ）５にケーブルを用いて接続可能であり、ＰＣ５からデータを取り込んだり、ＰＣ５へデータを送り込んだりすることができ、さらに、ＰＣ５もインターネット４に接続可能である。
【００２９】
なお、サービス提供サーバ２は、制御を司るＣＰＵ，ＲＡＭ，ＲＯＭ，ハードディスク装置等の種々の記憶手段，インターネット４へ接続をするための通信装置を備えた周知のサーバ端末であり、ＰＣ５は、制御を司るＣＰＵ，ＲＡＭ，ＲＯＭ，ハードディスク等の種々の記憶手段，インターネット４へ接続をするための通信装置，入力を行うためのキーボードやマウス，画面を表示するためのディスプレイ等を備えた周知のパーソナルコンピュータである。なお、サービス提供サーバ２には、後述するように、状況通信装置１に提供する複数のコンテンツがあらかじめ記憶されている。
【００３０】
次に、状況通信装置１について説明する。図２は、状況通信装置１の断面図である。図３は、状況通信装置１の電気的構成を示すブロック図である。
【００３１】
図２に示すように、状況通信装置１は球体であり、サイズは人の手のひらに納まる携帯端末でである。状況通信装置１の筐体は、数ｍｍの厚み（例えば、５ｍｍ厚）の透明性を有する合成樹脂で球状に構成されており、その内部には球状の密閉空間が形成されている。そして、その筐体内部には、状況通信装置１の筐体の下端部における設置面と平行であって、当該筐体の中心部をとおる平面に配置された円形板状の基板２００が設けられており、基板２００の上側には各種センサ１１〜１９や制御部１００など配置され、基板２００の下側には各種アクチュエータ２１〜２６が配置されている。なお、理解を容易にするために、各種センサ１１〜１９のうちで、曲げセンサ１１，加速度センサ１２，温度センサ１３，光センサ１５，感圧センサ１６，湿度センサ１７のみを図示し、各種アクチュエータ２１〜２６のうちで、ＬＥＤ２１，モーター２３，スピーカー２５のみを図示している。
【００３２】
図３に示すように、状況通信装置１の筐体内部には、状況通信装置１の制御を司るＣＰＵ１０，ＲＯＭ２０，ＲＡＭ３０，時間を計測する計時装置４０，他の状況通信装置１と送受信するための送受信部５０，無線通信網の基地局と通信するための通信部６０，各種センサなどを接続するためのＩ／Ｏインタフェイス７０等が収納された制御部１００が設けられている。そして、制御部１００ではバス８０を介して、ＲＯＭ２０，ＲＡＭ３０，計時装置４０，送受信部５０，通信部６０，Ｉ／Ｏインタフェイス７０が、ＣＰＵ１０に接続している。図示しないが、状況通信装置１はバッテリーにより電源供給されている。なお、ＲＯＭ２０には、後述のメイン処理（図４）を実行するための状況通信プログラムが記憶されている。また、ＲＡＭ３０には、各種センサ１１〜１９により検出（計測）された情報の記憶領域（計測値記憶エリア）が設けられているが、詳細は後述する。
【００３３】
また、状況通信装置１の表面に、ＰＣ５と接続するためのＵＳＢポート７５及び各種モジュール（各種センサや各種アクチュエータ）を差し込むための拡張ポート９０が設けられている。図３に示す例では、拡張ポート９０には、曲げセンサ（歪みセンサ）１１，加速度センサ１２，温度センサ１３，心拍センサ１４，光センサ１５，感圧センサ１６，湿度センサ１７，発汗センサ１８，マイク１９，ＬＥＤ２１，フラッシュランプ２２，モーター２３，ヒーター２４，スピーカー２５，７セグメントＬＥＤ２６が接続されている。
【００３４】
なお、曲げセンサ１１は、歪ゲージを用いて状況通信装置１の表面の歪み具合を計測する。加速度センサ１２は、静電容量の変化、圧電セラミック等を利用する加速度センサであり、状況通信装置１の動き（状況通信装置１にかかった加速度とその方向）を計測する。温度センサ１３は、白金測温抵抗体、サーミスタ、熱電対などを用いている、所謂温度計であり、状況通信装置１の周囲の温度及び装置に触れている手のひらや指の温度を計測する。心拍センサ１４は所謂感圧センサであり、状況通信装置１の表面に設けられている。そして、血流の圧力を計測して触れている人の心拍（脈拍数）を計測する。また、所謂赤外線センサを設け、血液の膨張収縮による距離の差分を検出して、触れている人の心拍（脈拍数）を計測してもよい。光センサ１５は、フォトトランジスタやＣｄＳ等を利用した光の強さを計測するセンサであり、状況通信装置１の表面に設けられている。
【００３５】
感圧センサ１６は、所謂接触センサであり、状況通信装置１の表面に設けられ、導電性ゴムに定抵抗を直列接続し、ある電圧をかけて導電性ゴムの分圧値を測定することにより状況通信装置１にかかった圧力を計測する。湿度センサ１７は、状況通信装置１の表面に設けられ、セラミックスや高分子を用いて状況通信装置１の周りの空気中の水分量を計測する。発汗センサ１８は、小型の湿度センサであり、状況通信装置１の表面に設けられ、触れているものの表面の汗の量を、水分の蒸発量を測定することにより計測する。尚、発汗センサ１８の単位はｍｇ／ｃｍ２／ｍｉｎであり、１分間に１ｃｍ２で測定される汗の量が計測される。マイク１９は音声等、状況通信装置１の周囲の音を入力する。そして、ＬＥＤ２１は種々の色や明るさで点灯する。フラッシュランプ２２は種々の強さで発光する。モーター２３は状況通信装置１を振動させる。ヒーター２４は状況通信装置１の表面を低温（利用者が暖かさを感じ、やけどをしない温度）で熱する。スピーカー２５は音声を出力する。７セグメントＬＥＤは１桁の数字を表示可能である。
【００３６】
なお、状況通信装置１には、パーソナルコンピュータのようなキーボードは設けられていない。そこで、状況通信装置１の各種センサ１１〜１９が検知した情報を所定の動作を指示する指示入力として予め登録しておき、利用者が状況通信装置１を握ってジェスチャ（所定回数振る、握る等）を行うことにより動作の指示を行っている。
【００３７】
ここで、本実施の形態のサービス提供システムにおいて、状況通信装置１が実行可能な処理（サービス）について簡単に説明する。以下では、状況通信装置１で実行される「ジェスチャ処理」，「モード別処理」，「受信処理」の３つを、主な処理（サービス）として例示する。
【００３８】
第１に「ジェスチャ処理」は、使用者が提供を受けたいサービスを、状況通信装置１に指定するための処理である。ここでは、ＲＡＭ３０の計測値記憶エリア（図示外）に記憶されている各種計測値を参照して、それがあらかじめ定められたジェスチャを示す値であった場合に、そのジェスチャの指示する処理、例えばモード設定やスピーカー２５の音量設定などが実施される。すなわち、使用者はモード切替や音量設定などを、あらかじめ登録されているジェスチャを実施することで行う。
【００３９】
ここで、ＲＡＭ３０には、実施されているモードを記憶するためのモード記憶エリア（図示外）が設けられている。ここには、操作モードフラグ、推論モード＜感情＞フラグ、推論モード＜雰囲気＞フラグ、推論モード＜環境＞フラグ、推論モード＜伝言＞フラグ、コンテンツサービスモードフラグ、通信対象指定モードフラグの７つのフラグが設けられており、実施されているモードのフラグのみに「１」が記憶されて「ＯＮ」となり、その他のフラグには「０」が記憶されて「ＯＦＦ」となっている。
【００４０】
例えば、「ジェスチャ処理」では、加速度センサ１２による計測値（加速度データ）を参照して、それが「上下方向に２回加速」を示していれば「ボリュームＵＰ」が実行され、「左右方向に４回加速」を示していれば「コンテンツサービスモードＯＮ」が実行されるなどである。なお、メイン処理（図４）の開始時には、初期化処理（Ｓ１）によりＲＡＭ３０のモード記憶エリア（図示外）は初期化（例えば、「操作モード」をデフォルトモードとして、操作モードフラグのみ「ＯＮ」、他のモードフラグは「ＯＦＦ」）されている。
【００４１】
第２に「モード別処理」は、「ジェスチャ処理」で設定されたモードに応じて、状況通信装置１が各種処理を実行するための処理である。本実施の形態では、「操作モード」，「推論モード＜感情＞」，「推論モード＜雰囲気＞」，「推論モード＜環境＞」，「推論モード＜伝言＞」，「コンテンツサービスモード」，「通信対象指定モード」の７つのモードを設けている。
【００４２】
具体的には、「操作モード」では、ＰＣ５から送信されたルールテーブルを受信して、ＲＡＭ３０に記憶したり、ＰＣ５からの要求に応じてルールテーブルを送信したり、他の状況通信装置１を通信相手として指定する際のジェスチャを登録したりする。
【００４３】
「通信対象指定モード」では、使用者は以下の「推論モード」で通信する相手を、ジェスチャにより指定する。そして、「推論モード＜感情＞」，「推論モード＜雰囲気＞」，「推論モード＜環境＞」，「推論モード＜伝言＞」の各「推論モード」では、各種センサ１１〜１９の計測値から、使用者の状況を示す指標情報が所定のルールに基づいて決定され、「通信対象指定モード」で指定されている相手に、当該計測値や指標情報を送信する。なお、所定のルールとは、各計測値に対応して指標情報が決定されるテーブルであり、あらかじめＲＡＭ３０に記憶されている。
【００４４】
「コンテンツサービスモード」では、使用者がジェスチャによりコンテンツを指定すると、各種センサ１１〜１９の計測値をコンテンツ指定用コードと共にサービス提供サーバ２へ送信する。そして、サービス提供サーバ２から返却される情報に基づいて、各種アクチュエータ２１〜２６を制御して結果（コンテンツ）を表現する。
【００４５】
第３に「受信処理」は、状況通信装置１が他の状況通信装置１から計測値や指標情報を受信して、その計測値や指標情報から制御情報を決定し、アクチュエータに表現する処理である。ここでは、状況通信装置１の各種アクチュエータ２１〜２６が、他の状況通信装置１から受信した各計測値や指標情報から所定のルールに基づいて決定された表現形態で制御されて、他の使用者（相手）の状況が表現される。なお、所定のルールとは、各計測値や指標情報に対応して各種アクチュエータ２１〜２６の制御方法が決定されるテーブルであり、あらかじめＲＡＭ３０に記憶されている。
【００４６】
次に、状況通信装置１において、上記の処理（サービス）と並行して実行される、本発明に係るメイン動作を説明する。図４は、メイン処理のフローチャートである。図５は、計測処理（Ｓ３）の詳細を示すフローチャートである。図６は、データ属性判断処理（Ｓ１３）の詳細を示すフローチャートである。なお、本実施の形態のメイン処理（図４）は、状況通信装置１にバッテリーがセットされて、電源がオンされると状況通信プログラムが起動され、状況通信装置１のＣＰＵ１０により継続的に実施される。
【００４７】
まず、種々のデータやフラグ等の初期化処理が行われる（Ｓ１）。例えば、ＲＡＭ３０において、後述するモード記憶エリアが初期化されたり、計測値記憶エリアが初期化されたり、ジェスチャ回数をカウントするためのカウント値がクリアされたり、各種センサ１１〜１９に関する設定の初期化が行われる。そして、各種センサ１１〜１９による計測を実行する計測処理が実行される（Ｓ３）。
【００４８】
図５に示すように、計測処理（Ｓ３）では、各種センサ１１〜１９で計測動作が実行されて、各々において計測値が取得される（Ｓ１１）。そして、以下に示すように、各種センサ１１〜１９により検出された計測値のデータ属性を判断するデータ属性判断処理（Ｓ１３）が実行される。なお、本実施の形態では、温度センサ１３による計測値（温度データ）について、そのデータ属性を判断する場合を例示して説明する。
【００４９】
図６に示すように、データ属性判断処理（Ｓ１３）では、まず感圧センサ１６で圧力が検出されたか否かが判定される（Ｓ２１）。Ｓ２１では、感圧センサ１６による計測値（圧力データ）に基づいて、状況通信装置１の表面に設けられた感圧センサ１６に外部からの圧力が加えられているか否かが判定される。感圧センサ１６で圧力が検出されている場合（Ｓ２１：ＹＥＳ）、光センサ１５で光が検出されたか否かが判定される（Ｓ２３）。Ｓ２３では、光センサ１５による計測値（明るさデータ）に基づいて、状況通信装置１の表面に設けられた光センサ１５に光が照射されているか否かが判定される。
【００５０】
そして、光センサ１５で光が検出されていない場合は（Ｓ２３：ＮＯ）、使用者が状況通信装置１を握っており、使用者により光の照射が遮られている状態にあるとみなすことができる。よって、使用者が状況通信装置１を使用しているとみなすことができるから、温度データは使用者に関する「人体情報」であると特定される（Ｓ２５）。すなわち、使用者の「体温」として特定される。
【００５１】
一方、感圧センサ１６で圧力が検出されていない場合（Ｓ２１：ＮＯ）又は光センサ１５で光が検出されている場合は（Ｓ２３：ＹＥＳ）、使用者が状況通信装置１を握っておらず、周囲環境からの光が検出されている状態にあるとみなすことができる。よって、使用者が状況通信装置１を使用していないとみなすことができるから、温度データは状況通信装置１の周辺環境に関する「環境情報」であると特定される（Ｓ２７）。すなわち、状況通信装置１の周辺における「気温」として特定される。
【００５２】
このように、温度データが「人体情報」又は「環境情報」としてデータ属性が特定されたら（Ｓ２５，Ｓ２７）、データ属性判断処理（図６）が終了する。
【００５３】
計測処理（図５）に戻り、各種センサ１１〜１９により取得された計測値は、ＲＡＭ３０の計測値記憶エリア（図示外）に書き込まれる（Ｓ１５）。本実施の形態では、ＲＡＭ３０の計測値記憶エリアは、「人体情報」を記憶する人体情報記憶エリア（図示外）と、「環境情報」を記憶する環境情報記憶エリア（図示外）とが区別して設けられており、各種計測値はそのデータ属性に応じたエリアに書き込まれる。例えば、データ属性判断処理（Ｓ１３）でデータ属性が特定された温度データが、「体温」である場合は人体情報記憶エリアに記憶され、「気温」である場合は環境情報記憶エリアに記憶される。その結果、ＲＡＭ３０の計測値記憶エリアには、最新の各種計測値がデータ属性に応じて格納されている。その後、メイン処理に戻る。
【００５４】
メイン処理（図４）に戻り、以下の処理（Ｓ５〜Ｓ９）では、ＲＡＭ３０の計測値記憶エリアに格納された各種計測値に基づいて、状況通信装置１の使用者に対して様々なサービスが提供される。以下、その概要を説明する。
【００５５】
まず、計測処理（Ｓ３）で取得された各種計測値が「人体情報」と特定されたか否かが判定される（Ｓ５）。Ｓ５では、ＲＡＭ３０の計測値記憶エリアに格納された各種計測値のデータ種別を参照して、それが「人体情報」か「環境情報」かが判定される。本実施の形態では、Ｓ１１で取得された温度データが「体温」であれば（Ｓ５：ＹＥＳ）、「人体情報」と特定した場合の処理が実行される（Ｓ７）。一方、Ｓ１１で取得された温度データが「気温」であれば（Ｓ５：ＮＯ）、「環境情報」と特定した場合の処理が実行される（Ｓ９）。
【００５６】
ここで、Ｓ７又はＳ９で実行される処理は、先述の「ジェスチャ処理」でＲＡＭ３０のモード記憶エリア（図示外）に設定されたモードによって異なる。例えば、「推論モード＜感情＞」が設定されていれば、Ｓ７では「温度」に基づいて使用者の感情が推論されて指標情報が決定される。一方、「推論モード＜環境＞」が設定されていれば、Ｓ９では「気温」に基づいて状況通信装置１の周囲環境が推論されて指標情報が決定される。また、「コンテンツサービスモード」が設定されていれば、Ｓ７では「温度」に応じて最適なコンテンツが実行される一方、Ｓ９では「気温」に応じて最適なコンテンツが実行されるなどである。
【００５７】
このように、本実施の形態では、ＲＡＭ３０の計測値記憶エリア（図示外）に人体情報と環境情報とが区別して記憶され、各種計測値のデータ種別に応じて最適な処理が実行されることになる。例えば、各「推論モード」では「気温」と「体温」を取り違えることなく、正確に指標情報を決定することができる。
【００５８】
以上、第１の実施の形態に係る状況通信装置１によれば、各種センサ１１〜１９の計測値や指標情報を他端末に送信する一方、他端末から計測値や指標情報を受信すると使用者の状況を表現するものであって、計測された温度データが人体情報（体温）又は環境情報（気温）のいずれであるかが判定される。よって、温度データのデータ属性に応じた最適な処理を実行することができ、使用者の感情推定や状況通信などの各種サービスを正確かつ適切に提供することができる。
【００５９】
また、感圧センサ１６及び光センサ１５を用いて、温度データが人体情報又は環境情報のいずれであるかが判定される。よって、圧力データ及び明るさデータに基づいて、温度データのデータ属性をより正確に判定することができる。
【００６０】
次に、本発明の第２の実施の形態について説明する。第２の実施の形態は、基本的に第１の実施の形態と同様であるが、データ属性判断処理（Ｓ１３）の詳細が異なる。以下、第１の実施の形態と異なる点のみを説明する。図７は、第２の実施の形態における、データ属性判断処理（Ｓ１３）の詳細を示すフローチャートである。なお、本実施の形態では、光センサ１５による計測値（明るさデータ）と加速度センサ１２による計測値（加速度データ）とについて、そのデータ属性を判断する場合を例示して説明する。
【００６１】
図７に示すように、本実施形態のデータ属性判断処理（Ｓ１３）では、第１の実施の形態のＳ２１（図６）と同様に、まず感圧センサ１６で圧力が検出されたか否かが判定される（Ｓ３１）。感圧センサ１６で圧力が検出されている場合（Ｓ３１：ＹＥＳ）、温度センサ１３で検出された温度は３０〜３８℃であるか否かが判定される（Ｓ３３）。Ｓ３３では、温度センサ１３による計測値（温度データ）に基づいて、状況通信装置１の表面における温度が３０〜３８℃の範囲内か否かが判定される。
【００６２】
検出された温度が３０〜３８℃である場合（Ｓ３３：ＹＥＳ）、使用者が状況通信装置１を握っており、使用者の体温が検出されている状態にあるとみなすことができる。よって、使用者が状況通信装置１を使用しているとみなすことができるから、Ｓ２５と同様に、明るさデータ及び加速度データは「人体情報」であると特定される（Ｓ３５）。すなわち、明るさデータは、使用者が状況通信装置１を被覆している割合，面積，位置などを示す「使用者の光遮断による暗さ」として特定される。また、加速度データは、使用者が状況通信装置１を動かすことで発生した加速度である「使用者の操作による加速度」として特定される。
【００６３】
一方、感圧センサ１６で圧力が検出されていない場合（Ｓ３１：ＮＯ）又は温度センサ１３で３０〜３８℃以外が検出されている場合は（Ｓ３３：ＮＯ）、使用者が状況通信装置１を握っておらず、周囲環境の温度が検出されている状態にあるとみなすことができる。よって、使用者が状況通信装置１を使用していないとみなすことができるから、Ｓ２７と同様に、明るさデータ及び加速度データは「環境情報」であると特定される（Ｓ３７）。すなわち、明るさデータは、状況通信装置１の周辺環境における光の強さを示す「周囲環境の暗さ」として特定される。また、加速度データは、使用者以外の影響（例えば、風圧や傾斜など）で状況通信装置１が動いて発生した加速度である「他の影響による加速度」として特定される。
【００６４】
このように、明るさデータ及び加速度データが「人体情報」又は「環境情報」としてデータ属性が特定されたら（Ｓ３５，Ｓ３７）、データ属性判断処理（図７）が終了する。そして、計測処理（図５）のＳ１５では、「使用者の光遮断による暗さ」及び「使用者の操作による加速度」は人体情報記憶エリアに記憶され、「周囲環境の暗さ」及び「他の影響による加速度」は環境情報記憶エリアに記憶される。
【００６５】
以上、第２の実施の形態に係る状況通信装置１によれば、感圧センサ１６及び温度センサ１３を用いて、明るさデータ及び加速度データが人体情報又は環境情報のいずれであるかが判定される。よって、圧力データ及び温度データに基づいて、明るさデータ及び加速度データのデータ属性をより正確に判定することができる。
【００６６】
また、人体情報である場合は、明るさデータは「使用者の光遮断による暗さ」，加速度データは「使用者の操作による加速度」として特定される一方、環境情報である場合は、明るさデータは「周囲環境の暗さ」，加速度データは「他の影響による加速度」として特定される。よって、データ属性を取り違えることなく、明るさデータ及び加速度データのデータ属性に応じた最適な処理を実行することができる。
【００６７】
次に、本発明の第３の実施の形態について説明する。第３の実施の形態は、基本的に第１及び第２の実施の形態と同様であるが、データ属性判断処理（Ｓ１３）の詳細が異なる。以下、第１及び第２の実施の形態と異なる点のみを説明する。図８は、第３の実施の形態における、データ属性判断処理（Ｓ１３）の詳細を示すフローチャートである。なお、本実施の形態では、各種センサ１１〜１９により検出された計測値の全てを対象として、そのデータ属性を判断する場合を例示して説明する。
【００６８】
図８に示すように、本実施形態のデータ属性判断処理（Ｓ１３）では、Ｓ２１（図６）と同様に、まず感圧センサ１６で圧力が検出されたか否かが判定される（Ｓ４１）。感圧センサ１６で圧力が検出されている場合（Ｓ４１：ＹＥＳ）、Ｓ２３（図６）と同様に、光センサ１５で光が検出されたか否かが判定される（Ｓ４３）。光センサ１５で光が検出されている場合（Ｓ４３：ＹＥＳ）、Ｓ３３（図７）と同様に、温度センサ１３で検出された温度は３０〜３８℃であるか否かが判定される（Ｓ４５）。
【００６９】
そして、光センサ１５で光が検出されていない場合（Ｓ４３：ＮＯ）又は温度センサ１３で検出された温度は３０〜３８℃である場合（Ｓ４５：ＹＥＳ）、Ｓ２５（図６）及びＳ３５（図７）と同様に、各種センサ１１〜１９により検出された各計測値は「人体情報」であると特定される（Ｓ４７）。例えば、温度データは「体温」，明るさデータは「使用者の光遮断による暗さ」，加速度データは「使用者の操作による加速度」として、それぞれ特定される。
【００７０】
一方、感圧センサ１６で圧力が検出されていない場合（Ｓ４１：ＮＯ）又は温度センサ１３で検出された温度は３０〜３８℃以外である場合（Ｓ４５：ＮＯ），Ｓ２７（図６）及びＳ３７（図７）と同様に、各種センサ１１〜１９により検出された各計測値は「環境情報」であると特定される（Ｓ４９）。例えば、温度データは「気温」，明るさデータは「周囲環境の暗さ」，加速度データは「他の影響による加速度」として、それぞれ特定される。
【００７１】
このように、温度データ，明るさデータ，加速度データが「人体情報」又は「環境情報」としてデータ属性が特定されたら（Ｓ４７，Ｓ４９）、データ属性判断処理（図８）が終了する。そして、計測処理（図５）のＳ１５では、「人体情報」であると特定された各計測値は人体情報記憶エリアに記憶され、「環境情報」であると特定された各計測値は環境情報記憶エリアに記憶される。
【００７２】
以上、第３の実施の形態に係る状況通信装置１によれば、感圧センサ１６，光センサ１５，温度センサ１３を用いて、各種センサ１１〜１９の計測値が人体情報又は環境情報のいずれであるかが判定される。よって、圧力データ，明るさデータ，温度データに基づいて、各種センサ１１〜１９の計測値のデータ属性をより正確に判定することができる。
【００７３】
ところで、上記実施の形態の曲げセンサ（歪みセンサ）１１，加速度センサ１２，温度センサ１３，心拍センサ１４，光センサ１５，感圧センサ１６，湿度センサ１７，発汗センサ１８，マイク１９が本発明の「計測手段」に該当し、ＬＥＤ２１，フラッシュランプ２２，モーター２３，ヒーター２４，スピーカー２５、７セグメントＬＥＤ２６が本発明の「状況表現手段」に該当する。また、送受信部５０及び通信部６０が、本発明の「送信手段」及び「受信手段」に相当する。また、メイン処理（図４）のＳ５〜Ｓ９を行うＣＰＵ１０が、本発明の「状況表現制御手段」に相当し、データ属性判断処理（図６〜図８）を行うＣＰＵ１０が、本発明の「計測情報判定手段」に相当する。
【００７４】
また、Ｓ３の計測処理（図５）が、本発明の「計測ステップ」に相当する。ジェスチャ処理（Ｓ５），モード別処理（Ｓ７），受信処理（Ｓ９）が、本発明の「状況表現ステップ」，「送信ステップ」，「受信ステップ」，「状況表現制御ステップ」に相当する。そして、Ｓ１３のデータ属性判断処理（図６〜図８）が、本発明の「計測情報判定ステップ」に相当する。
【００７５】
なお、本発明の状況通信装置及び状況通信プログラムは、上記した実施の形態に限定されるものではなく、本発明の要旨を逸脱しない範囲内において種々変更を加え得ることは勿論である。
【００７６】
上記実施の形態では、状況通信装置１は手のひらに納まるサイズの球体をしているが、状況通信装置１の形状はこのようなものに限らない。また、上記実施の形態では、「計測手段」として、曲げセンサ１１，加速度センサ１２，温度センサ１３，心拍センサ１４，光センサ１５，感圧センサ１６，湿度センサ１７，発汗センサ１８，マイク１９を使用しているが、「計測手段」の種類はこれらに限らず、衝撃センサ、体温センサ、体脂肪センサ、血圧センサ、皮膚のしみを計測するセンサ、大気中の酸素濃度を計測するセンサ、大気中の二酸化炭素濃度を計測するセンサ等、種々の計測手段を用いてもよい。また、「状況表現手段」として、ＬＥＤ２１，フラッシュランプ２２，モーター２３，ヒーター２４，スピーカー２５，７セグメントＬＥＤ２６を使用しているが、「状況提示手段」の種類はこれに限らず、液晶パネル等の小型画面等を用いてもよい。
【００７７】
そして、上記実施の形態では、温度データ，明るさデータ，加速度データに基づいて、各計測値のデータ属性を「人体情報」又は「環境情報」と判定しているが、他の計測値（湿度データ，曲げデータ，音声データなど）を用いてデータ属性を判定するようにしてもよい。
【００７８】
さらに、上記実施の形態では、感圧センサ１６（接触センサ）により圧力（接触）が検出されなかった場合は「環境情報」であると判定しているが（Ｓ２１：ＮＯ，Ｓ３１：ＮＯ，Ｓ４１：ＮＯ）、他の手法で「人体情報」又は「環境情報」の特定を行うようにしてもよい。すなわち、各種センサ１１〜１９に関して、その検出位置，個数，計測値の内容など、様々な要素を用いて「人体情報」又は「環境情報」の判断を行うことができる。
【００７９】
例えば、感圧センサ１６（接触センサ）において、筐体の自重程度の接触や点接触が検出されたら「環境情報」と特定し、面接触や複数接触が検出されたら「人体情報」と特定してもよい。また、状況通信装置１において、その筐体を他の物体上に置くための足を設けて、その置いた状態ではどこにも接触しない位置に感圧センサ１６を配置したり、使用者の片手／両手の大きさが判別できるように複数の感圧センサ１６を配置したり、筐体の上半球において接触が検出された場合は「人体情報」と特定するようにしてもよい。
【００８０】
また、第１の実施の形態では、感圧センサ及び光センサで温度データのデータ属性を判定し、第２の実施の形態では、感圧センサ及び温度センサで明るさデータ及び加速度データのデータ属性を判定し、第３の実施の形態では、感圧センサ，光センサ，温度センサで全計測値のデータ属性を判定する場合を例示した。しかし、各計測値のデータ属性を、どの計測手段による計測値に基づいて判定するかは、設計者又はユーザが用途や目的に応じて任意に設定すればよい。
【００８１】
また、上記実施の形態において、各「推論モード」では「気温」と「体温」を取り違えることなく、正確に指標情報を決定することができることを例示した。しかし、各「推論モード」では、他の計測値をデータ属性で区別して利用できることはもちろんであり、他のモードにおいても同様に、各モードの目的に応じて各計測値をデータ属性で区別して利用できる。
【００８２】
また、「モード別処理」のみならず、「ジェスチャ処理」でも各計測値をデータ属性で区別して利用できる。例えば、加速度センサ１２による加速度データのうちで、「使用者の操作による加速度」のみを参照し、それが「上下方向に２回加速」を示していれば「ボリュームＵＰ」が実行され、「左右方向に４回加速」を示していれば「コンテンツサービスモードＯＮ」が実行されるなどのようにしてもよい。
【００８３】
また、上記実施の形態では、ＲＡＭ３０の計測値記憶エリア（図示外）は、便宜上、人体情報記憶エリア（図示外）と環境情報記憶エリア（図示外）とを区別して設けている。しかし、各計測値のデータ属性を区別することができるのであれば、同一の記憶エリアに各計測値を記憶するようにしてもよい。
【産業上の利用可能性】
【００８４】
本発明の状況通信装置及び状況通信プログラムは、使用者に関する人体情報や周辺環境に関する環境情報を計測して、使用者に各種サービスを提供する装置などに利用可能である。
【図面の簡単な説明】
【００８５】
【図１】本発明の状況通信装置１を用いたサービス提供システムの構成を示すシステム構成図である。
【図２】状況通信装置１の断面図である。
【図３】状況通信装置１の電気的構成を示すブロック図である。
【図４】メイン処理のフローチャートである。
【図５】計測処理（Ｓ３）の詳細を示すフローチャートである。
【図６】データ属性判断処理（Ｓ１３）の詳細を示すフローチャートである。
【図７】第２の実施の形態における、データ属性判断処理（Ｓ１３）の詳細を示すフローチャートである。
【図８】第３の実施の形態における、データ属性判断処理（Ｓ１３）の詳細を示すフローチャートである。
【符号の説明】
【００８６】
１  状況通信装置
１０  ＣＰＵ
１１  曲げセンサ
１２  加速度センサ
１３  温度センサ
１４  心拍センサ
１５  光センサ
１６  感圧センサ
１７  湿度センサ
１８  発汗センサ
１９  マイク
２０  ＲＯＭ
２１  ＬＥＤ
２２  フラッシュランプ
２３  モーター
２４  ヒーター
２５  スピーカー
２６  ７セグメントＬＥＤ
３０  ＲＡＭ
１００  制御部
２００  基板
【図１】
2006295823.tif 000003
【図２】
2006295823.tif 000004
【図３】
2006295823.tif 000005
【図４】
2006295823.tif 000006
【図５】
2006295823.tif 000007
【図６】
2006295823.tif 000008
【図７】
2006295823.tif 000009
【図８】
2006295823.tif 000010